【事件の表示】
　特願２０１６−５１７４２５「画像処理を用いた無線工業プロセスフィールド装置」拒絶査定不服審判事件〔平成２７年　４月　２日国際公開、ＷＯ２０１５／０４７５９６、平成２８年１２月２２日国内公表、特表２０１６−５４０３９７〕について、次のとおり審決する。
【結　論】
　本件審判の請求は、成り立たない。
【理　由】
第１　手続の経緯
　本願は、２０１４年（平成２６年）８月１９日（パリ条約による優先権主張外国庁受理　２０１３年９月２６日　米国）を国際出願日とする出願であって、平成２９年５月３０日付けで拒絶理由が通知され、平成２９年７月３１日付けで手続補正がされ、平成２９年１２月２６日付けで拒絶査定がされ、これを不服として平成３０年３月２９日に本件審判請求がされ、同時に誤訳訂正書により手続補正がされ、令和１年５月２３日付けで当審により拒絶の理由が通知され、令和１年８月２６日付けで手続補正がされたものである。
第２　本願発明
　本願の請求項１−１２に係る発明は、令和１年８月２６日付けで手続補正により補正された特許請求の範囲の請求項１−１２に記載された事項により特定されるとおりのものであるところ、その請求項１１に係る発明（以下、「本願発明」という。）は、次のとおりである。なお、本願発明の各構成の符号は当審において付与したものであり、以下、構成Ａ〜構成Ｆと称する。
［本願発明］
（Ａ）無線フィールド装置における画像情報送信方法であって、
（Ｂ）前記無線フィールド装置は、制御装置と、無線通信回路と、内部電源と、画像取り込み装置と、メモリと、を含み、
（Ｃ）前記画像取り込み装置によって、前記無線フィールド装置の近くのフレア、ポンプジャック、ポンプ、又はタンクの画像を取り込む工程と、
（Ｄ）前記制御装置によって、前記メモリに記憶された参照画像情報を読み出し、前記画像取り込み装置によって取り込まれた画像の前記参照画像情報からの変化を検出し、変化が検出された領域の前記画像情報を圧縮する工程と、
（Ｅ）前記無線フィールド装置に対して、前記内部電源によって給電する工程と、
（Ｆ）前記変化の量がしきい値を超えたとき、前記無線通信回路を使用して、圧縮された前記画像情報を遠隔地に送信する工程と、
（Ａ）を含む方法。
第３　引用文献、引用発明
１．引用文献１の記載事項
　当審による拒絶理由通知で引用された特表２００８−５２７４９３号公報（以下、「引用文献１」という）には、図面とともに次の事項が記載されている。なお、下線は、当審により付与したものである。
「【０００１】
発明の分野
　本発明は、
工業用プロセス制御又は監視システム
そのようなシステムで用いられるワイヤレスプロセスフィールド装置に関する
「【０００９】
　
フィールド装置は
遠隔地点に取付けられ
【００１０】
　図１は、フィールド装置１４及び１６に接続された制御室即ち制御システム１２を含むプロセス制御又は監視システム１０の一例を示す簡略化された図である。
フィールド装置１４は、プロセス配管１８に接続され
貯蔵タンク２０に接続され
装置１４及び１６は、ワイヤレス無線周波数（ＲＦ）通信リンク２８及び３２を用いて、制御室１２内の回路１３と通信する
フィールド装置１４及び１６は、さらなる線を布設する必要なく、装置にローカルな電力を供給するためのコンポーネントを含む
「【００１２】
　図２は、図１に示されたフィールド装置１４をより詳細に示す、簡略化されたブロック図である。
フィールド装置１４は、
ワイヤレス入出力（通信）回路３２、診断部３４、電源回路３６、バッテリ３８及び太陽電池パネル４０を含む
電源回路３６を用いて、フィールド装置１４内部の回路に電力が供給される
電源回路３６は、太陽電池４０から受信した電力又はバッテリ３８から受信した電力を用いて動作することができる
診断部と標記されたブロック３４を用いて、
診断機能が実施される
【００１３】
　図３は、プロセス装置１４のより詳細なブロック図であり、プロセス変数センサ５０を示す。図３に図示するように、プロセス変数センサは、装置１４のハウジング内部か又はハウジングの外に配置されてもよい。測定回路５２は、プロセス変数センサ５０に接続されて、コントローラ５８に測定信号を供給する前に、初期信号処理を行うために用いられる。図３には、任意のユーザ入力部５４がオペレータボタンとして示される。同様に、任意の出力装置、たとえばＬＣＤディスプレイ５６が示される。
【００１４】
　一般的に、コントローラ５８はマイクロプロセッサベースのコントローラであり、メモリ６０及びクロック６２に接続される。クロック６２は、フィールド装置１４内部のディジタル回路の動作速度を決定し、メモリ６０を用いて情報を保存する。メモリ６０は、常設メモリ及び揮発性メモリの両方を含むことができ、処理中に用いられるデータ、プログラミング命令、較正情報、又はプロセス装置１４と共に用いるためのその他の情報、データ又は命令を保存するために用いることができる。図３の構成では、図２に図示された
診断機能３４
コントローラ５８内部で、
実施する
【００１５】
　図４は、本発明の診断アルゴリズムのステップを示す、簡略化されたブロック図である。図４はブロック図１００を図示し、スタートブロック１０２から開始する。ブロック１０４では、以下により詳細に説明するように、診断テスト又はアルゴリズムが開始される。ブロック１０６では、所望に応じて、診断結果に続く処理を行うことができる。ブロック１０８では、診断テストの結果に基づいて、出力又はその他のステップが行われる。所望であれば、ブロック１１０で、診断テストを繰り返すことができる。たとえば、周期的な又はその他の所望の間隔で、又はプロセス内で感知されたイベントの検出から開始されたときに、もしくはコマンドの受信時に、あるいは診断を開始するためのその他の要因で、診断テストを繰り返すことができる。任意には、診断処理はブロック１１２で停止する。図４に示されたステップは、たとえば
メモリ６０に保存されたプログラムに基づいて、コントローラ５８により実施する
【００１６】
　ブロック１０４により提供される診断テストは、
装置１４のワイヤレス通信能力、装置１４の電源性能、たとえば電源回路３６、太陽電池４０及び／又はバッテリ３８を含む、装置１４のワイヤレス機能に関するあらゆる診断にすることができる
【００１７】
　１つの例では、図３に示す付加的なセンサ５９を用いて、診断情報が提供される。たとえば、
装置１４に電圧センサが含まれて、太陽電池４０からの電圧出力が感知されることができ
太陽電池４０の開回路電圧が、長期間、たとえば２４時間にわたり、閾値電圧を下回る場合、診断テスト１０４は、太陽電池パネル４０が遮られているか又は壊れていることを示す出力を供給する
「【００２３】
　
その他の態様では、光学的な現場診断を用いて、設備の状況が検証される
画像取込装置７４、たとえばディジタルカメラ等を用いて、プロセス装置１４、又は装置１４のコンポーネントの画像を取込むことができる
この画像情報を用いて、太陽電池パネル４０の状態、及び太陽電池パネル４０の取付配置を検証する
装置１４がオペレータにより修理又は補修されていることの視覚的な検証、又は天候を示す視覚的な表示を提供することができる
【００２４】
　本発明の診断機能の構成および性能は、内蔵型の電源を有するフィールド装置と共に用いるための多くの利点を提供する。これらの技術は、プロセス変数発信器及び内蔵型発電ユニットの状態及び機能を遠隔評価する手段を提供する。適切なユニット動作を必要とする設備及び現場の状況を検証することができる。続く動作のために、さらなる診断性能を追加することができる。情報は、ローカルに、たとえば設置技術者に提供されることができ、技術者は、設備及び現場の状況が適切なユニット動作を可能にし、よって装置を調整することができることを検証することが可能になる。
さらに、画像情報が提供されて、診断に用いられることができる
たとえば、ワイヤレス通信リンクを通じて、装置の動作又は状態を診断するか又は検証している者に、画像を送信することができる
２．引用発明
　引用文献１には、段落０００１によれば、工業用プロセス制御又は監視システムで用いられるワイヤレスプロセスフィールド装置に関する発明が記載されている。
　段落０００９及び００１０によれば、引用文献１に記載の発明の「ワイヤレスプロセスフィールド装置」は、「遠隔地点に取付けられ」、「プロセス配管１８に接続され」或いは「貯蔵タンク２０に接続され」ること、「装置１４及び１６は、ワイヤレス無線周波数（ＲＦ）通信リンク２８及び３２を用いて、制御室１２内の回路１３と通信する」こと、「フィールド装置１４及び１６は、さらなる線を布設する必要なく、装置にローカルな電力を供給するためのコンポーネントを含む」ことが記載されている。
　段落００１２によれば、引用文献１に記載の「フィールド装置１４」は、「ワイヤレス入出力（通信）回路３２、診断部３４、電源回路３６、バッテリ３８及び太陽電池パネル４０を含む」こと、「電源回路３６を用いて、フィールド装置１４内部の回路に電力が供給される」こと、「電源回路３６は、太陽電池４０から受信した電力又はバッテリ３８から受信した電力を用いて動作する」こと、及び、「診断部と標記されたブロック３４を用いて、診断機能が実施される」ことが記載されている。
　段落００１４、段落００１５及び００１６によれば、引用文献１に記載の「診断機能３４」は、「コントローラ５８内部でメモリ６０に保存されたプログラムに基づいて実施する」こと、「装置１４のワイヤレス通信能力、装置１４の電源性能、たとえば電源回路３６、太陽電池４０及び／又はバッテリ３８を含む、装置１４のワイヤレス機能に関するあらゆる診断にすることできる」ことが記載されている。
　段落００１７によれば、引用文献１に記載の発明は、「装置１４に電圧センサが含まれて、太陽電池４０からの電圧出力が感知されることができ、太陽電池４０の開回路電圧が、長期間、たとえば２４時間にわたり、閾値電圧を下回る場合、診断テスト１０４は、太陽電池パネル４０が遮られているか又は壊れていることを示す出力を供給する」ことが記載されている。
　段落００２３によれば、引用文献１に記載の発明は、「その他の態様では、光学的な現場診断を用いて、設備の状況が検証される」こと、「画像取込装置７４、たとえばディジタルカメラ等を用いて、プロセス装置１４、又は装置１４のコンポーネントの画像を取込むことができる」こと、「この画像情報を用いて、太陽電池パネル４０の状態、及び太陽電池パネル４０の取付配置を検証する」こと、「たとえば、画像は、太陽電池パネル４０が外れているか、壊れているか又は破損しているかを示すことができる」こと、「装置１４がオペレータにより修理又は補修されていることの視覚的な検証、又は天候を示す視覚的な表示を提供することができる」ことが記載されている。
　段落００２４によれば、引用文献１に記載の発明は、「さらに、画像情報が提供されて、診断に用いられることができる」こと、「たとえば、ワイヤレス通信リンクを通じて、装置の動作又は状態を診断するか又は検証している者に、画像を送信することができる」ことが記載されている。
　引用文献１に記載の発明のワイヤレスプロセスフィールド装置の「コントローラ５８」でプログラムに基づいて実施する「診断機能」は、「ワイヤレスプロセスフィールド装置における診断方法」といえる。
　よって、引用文献１には、次の発明（以下、「引用発明」という。）が記載されていると認められる。なお、引用発明の各構成については、符号を用いて、構成ａ〜構成ｈと称する。
（引用発明）
（ａ）工業用プロセス制御又は監視システムで用いられるワイヤレスプロセスフィールド装置において、
（ｂ）ワイヤレスプロセスフィールド装置は、遠隔地点に取付けられ、プロセス配管１８或いは貯蔵タンク２０に接続され、フィールド装置１４及び１６は、ワイヤレス無線周波数（ＲＦ）通信リンク２８及び３２を用いて、制御室１２内の回路１３と通信し、さらなる線を布設する必要なく、装置にローカルな電力を供給するためのコンポーネントを含み、
（ｃ）フィールド装置１４は、ワイヤレス入出力（通信）回路３２、診断部３４、電源回路３６、バッテリ３８及び太陽電池パネル４０を含み、電源回路３６を用いて、フィールド装置１４内部の回路に電力が供給され、電源回路３６は、太陽電池４０から受信した電力又はバッテリ３８から受信した電力を用いて動作し、診断部と標記されたブロック３４を用いて、診断機能が実施され、
（ｄ）前記診断機能は、コントローラ５８内部でメモリ６０に保存されたプログラムに基づいて実施され、フィールド装置１４のワイヤレス通信能力、装置１４の電源性能、たとえば電源回路３６、太陽電池４０及び／又はバッテリ３８を含む、装置１４のワイヤレス機能に関するあらゆる診断にすることができ、
（ｅ）フィールド装置１４に電圧センサが含まれて、太陽電池４０からの電圧出力が感知されることができ、太陽電池４０の開回路電圧が、長期間、たとえば２４時間にわたり、閾値電圧を下回る場合、診断テスト１０４は、太陽電池パネル４０が遮られているか又は壊れていることを示す出力を供給し、
（ｆ）その他の態様では、光学的な現場診断を用いて、設備の状況が検証され、画像取込装置７４、たとえばディジタルカメラ等を用いて、プロセス装置１４、又は装置１４のコンポーネントの画像を取込むことができ、この画像情報を用いて、太陽電池パネル４０の状態、及び太陽電池パネル４０の取付配置を検証し、たとえば、画像は、太陽電池パネル４０が外れているか、壊れているか又は破損しているかを示すことができ、フィールド装置１４がオペレータにより修理又は補修されていることの視覚的な検証、又は天候を示す視覚的な表示を提供することができ、
（ｇ）さらに、画像情報が提供されて、診断に用いられることができ、たとえば、ワイヤレス通信リンクを通じて、装置の動作又は状態を診断するか又は検証している者に、画像を送信することができる、
（ｈ）ワイヤレスプロセスフィールド装置における診断方法。
３．引用文献２の記載事項
　当審による拒絶理由通知で引用された特開２００１−２５６４７５号公報（以下、「引用文献２」という）には、図面とともに次の事項が記載されている。なお、下線は、当審により付与したものである。
「【０００１】
【発明の属する技術分野】この発明は、工場等のフレア・スタックおよび煙突から排出される黒煙の自動検知に用いて好適な黒煙検知システムに関する。
【０００２】
【従来の技術】化学プラント工場、火力発電所、塵燃焼施設におけるフレア・スタックや煙突からは燃焼炎や煙が大気中に排出される。これらの排出煙の状態によって、被燃焼物等の燃焼状態を判断することができる。すなわち、フレア・スタック等から突発的に黒煙が排出されたときは、当該被燃焼物等が燃焼途中で不完全燃焼になったものと推測される。そこで、
従来はフレアースタックや煙突からの排煙状況を監視員が常時モニタによる監視を行っていた。
４．引用文献３の記載事項
　当審による拒絶理由通知で引用された特開昭６１−１３６３４０号公報（以下、「引用文献３」という）には、図面とともに次の事項が記載されている。なお、下線は、当審により付与したものである。
「産業上の利用分野
　本発明は油井制御装置に関し、特に、無人環境下で作動する
油井ポンプジャックの動力源としてエンジンを使用した油井制御装置
従来の技術
　油井ポンプジャックの監視および制御に関しては、従来、電気モータを駆動動力源として使用するものがたとえば米国特許Ｎ４，１０２，８９４号明細書において提案されており、今日における一般的な技術として用いられている。しかし、電気モータは当然ながら電力線の無い地域では使用できず、このような地域ではエンジンが使用される。このときエンジンとしてガスエンジンを使用すると、油井における自噴の石油ガスを燃料とすることができるため、ランニングコストを安価にできる利点がある。
　ところで、エンジンには冷却水温や潤滑油圧等電気モータには無い固有の監視項目および制御方法があり、これに関し従来技術は何ら応えるものではない。すなわち、
従来においては、上記止ンジンの監視および制御はすべて人の熟練に頼っており、ポンパーと呼ばれる巡回監視人がポンプの設置現場に出向いてエンジンの運転状況を監視し、
第４　本願発明と引用発明との対比
１．本願発明の構成Ａについて
　構成ａの「ワイヤレスプロセスフィールド装置」は、構成Ａの「無線フィールド装置」に相当する。
　また、構成ｆの「ワイヤレスプロセスフィールド装置における診断方法」は、構成ｅによれば、「画像情報が提供されて、診断に用いられることができ、たとえば、ワイヤレス通信リンクを通じて、装置の動作又は状態を診断するか又は検証している者に、画像を送信することができる」ものであるから、該診断方法は、診断に用いるための画像情報を送信する画像情報送信方法であるともいえ、構成Ａの「無線フィールド装置における画像情報送信方法」に相当するものである。
　よって、本願発明と引用発明とは、構成Ａの点で一致する。
２．本願発明の構成Ｂについて
　構成ａの「ワイヤレスプロセスフィールド装置」が含んでいる、構成ｄの「コントローラ５８」、構成ｃの「ワイヤレス入出力（通信）回路３２」、構成ｃの「電源回路３６」、構成ｆの「画像取込装置７４」、構成ｄの「メモリ６０」は、それぞれ、構成Ｂの「制御装置」、「無線通信回路」、「内部電源」、「画像取り込み装置」、「メモリ」に相当する。
　よって、本願発明と引用発明とは、構成Ｂの点で一致する。
３．本願発明の構成Ｃについて
　構成ｆの「光学的な現場診断を用いて、設備の状況が検証され、画像取込装置７４、たとえばディジタルカメラ等を用いて、プロセス装置１４、又は装置１４のコンポーネントの画像を取込む」ことは、構成Ｃの「前記画像取り込み装置によって、前記無線フィールド装置の近くのフレア、ポンプジャック、ポンプ、又はタンクの画像を取り込む工程」と、「前記画像取り込み装置によって、画像を取り込む工程」といえる点で共通するものである。
　よって、本願発明と引用発明とは、「前記画像取り込み装置によって、画像を取り込む工程」を含む点では共通する。
　しかしながら、本願発明は、「（Ｃ）前記画像取り込み装置によって、前記無線フィールド装置の近くのフレア、ポンプジャック、ポンプ、又はタンクの画像を取り込む工程」と、「前記画像情報を遠隔地に送信する工程」と、を含むのに対し、引用発明は、取り込み、送信する画像が、フィールド装置又は装置のコンポーネントの画像であって、「前記無線フィールド装置の近くのフレア、ポンプジャック、ポンプ、又はタンクの画像」ではない点で両者は相違する。
４．本願発明の構成Ｄ、構成Ｆについて
　構成ｅの「ワイヤレス通信リンクを通じて、装置の動作又は状態を診断するか又は検証している者に、画像を送信すること」において、「ワイヤレス通信リンク」は、構成ｃの「フィールド装置１４」の「ワイヤレス入出力（通信）回路３２」を使用するものであり、「画像を送信すること」の「画像」は、構成ｆの「光学的な現場診断を用いて、設備の状況が検証され、画像取込装置７４、たとえばディジタルカメラ等を用いて、プロセス装置１４、又は装置１４のコンポーネントの画像を取込」んだ「画像」である。
　また、構成ｂによれば、「ワイヤレスプロセスフィールド装置は、遠隔地点に取付けられ」たものであるから、構成ｅの「装置の動作又は状態を診断するか又は検証している者に、画像を送信する」ことにおける画像の送信先は、遠隔地であるといえる。
　よって、本願発明と引用発明とは、「前記無線通信回路を使用して、前記画像情報を遠隔地に送信する工程」を含むといえる点では共通するものである。
　しかしながら、本願発明は、「（Ｄ）前記制御装置によって、前記メモリに記憶された参照画像情報を読み出し、前記画像取り込み装置によって取り込まれた画像の前記参照画像情報からの変化を検出し、変化が検出された領域の前記画像情報を圧縮する工程と、」「（Ｆ）前記変化の量がしきい値を超えたとき、前記無線通信回路を使用して、圧縮された前記画像情報を遠隔地に送信する工程」とを含むのに対し、引用発明は、ワイヤレス通信リンクを通じて、画像を遠隔地に送信すること以外は特定されていない点で両者は相違する。
５．本願発明の構成Ｅについて
　構成ｃの「フィールド装置１４は、・・・、電源回路３６・・・を含み、電源回路３６を用いて、フィールド装置１４内部の回路に電力が供給され」ることは、構成Ｅの「前記無線フィールド装置に対して、前記内部電源によって給電する工程」に相当する。
　よって、本願発明と引用発明とは、構成Ｅを含む点で一致する。
　以上をまとめると、本願発明と引用発明の一致点、相違点は次のとおりである。
［一致点］
　無線フィールド装置における画像情報送信方法であって、
　前記無線フィールド装置は、制御装置と、無線通信回路と、内部電源と、画像取り込み装置と、メモリと、を含み、
　前記画像取り込み装置によって、画像を取り込む工程と、
　前記無線フィールド装置に対して、前記内部電源によって給電する工程と、
　前記無線通信回路を使用して、前記画像情報を遠隔地に送信する工程と、
を含む方法。
［相違点］
相違点１ 
　本願発明は、「（Ｃ）前記画像取り込み装置によって、前記無線フィールド装置の近くのフレア、ポンプジャック、ポンプ、又はタンクの画像を取り込む工程」と、「前記画像情報を遠隔地に送信する工程」と、を含むのに対し、引用発明は、取り込み、送信する画像が、フィールド装置又は装置のコンポーネントの画像であって、「前記無線フィールド装置の近くのフレア、ポンプジャック、ポンプ、又はタンクの画像」ではない点。
相違点２ 
　本願発明は、「（Ｄ）前記制御装置によって、前記メモリに記憶された参照画像情報を読み出し、前記画像取り込み装置によって取り込まれた画像の前記参照画像情報からの変化を検出し、変化が検出された領域の前記画像情報を圧縮する工程と、」「（Ｆ）前記変化の量がしきい値を超えたとき、前記無線通信回路を使用して、圧縮された前記画像情報を遠隔地に送信する工程」とを含むのに対し、引用発明は、ワイヤレス通信リンクを通じて、画像を遠隔地に送信すること以外は特定されていない点。
第５　判断
１．相違点１について
　引用発明は、構成ｆ、構成ｇによれば、「画像取込装置７４」は、「プロセス装置１４、又は装置１４のコンポーネントの画像を取込」み、「送信する」ものであり、該「画像情報」により、「装置の動作又は状態を診断するか又は検証」するものである。
　一方、引用発明のようなフィールド装置が使用される工業プロセスシステムは、通常、フレア、ポンプジャック、ポンプ、又はタンク等のコンポーネントを備えており、このようなコンポーネントは、その動作や状態の視覚的な診断・検証が必要であることは従来から当業者に知られていることである（例えば、引用文献２の段落０００２には、フレアスタックのモニタによる監視について、引用文献３の第１頁右下欄には、油井ポンプジャックの監視について記載されている。）。
　したがって、引用発明において、フィールド装置自体のコンポーネントのみではなく、フィールド装置が使用される工業プロセスシステムが通常備え、その動作や状態の視覚的な診断・検証が必要な、フレア、ポンプジャック、ポンプ、又はタンク等のコンポーネントの画像をも画像取込装置によって取り込み、送信することは当業者が容易に想到し得ることである。
２．相違点２について
　引用発明は、構成ｄ、構成ｅによれば、「診断機能は、コントローラ５８内部でメモリ６０に保存されたプログラムに基づいて実施され」、「フィールド装置１４に電圧センサが含まれて、太陽電池４０からの電圧出力が感知されることができ、太陽電池４０の開回路電圧が、長期間、たとえば２４時間にわたり、閾値電圧を下回る場合、診断テスト１０４は、太陽電池パネル４０が遮られているか又は壊れていることを示す出力を供給」するもの、すなわち、コントローラ５８が、太陽電池４０の電圧出力が閾値を越えて変化したことを検出したときにその結果の出力を供給する診断機能を有するものである。
　さらに、画像による診断の際に、画像が正常な状態から閾値を超えて変化したときに画像を送信する技術は周知の技術である。
　したがって、引用発明において、コントローラで実施する診断機能で、画像情報が提供されて診断に用いられるときに、画像が正常な状態から閾値を越えて変化したとき（本願発明でいう「前記制御装置によって、前記メモリに記憶された参照画像情報を読み出し、前記画像取り込み装置によって取り込まれた画像の前記参照画像情報からの変化を検出し」、「前記変化の量がしきい値を超えたとき」）に画像を送信する（本願発明でいう「前記無線通信回路を使用して」、「前記画像情報を遠隔地に送信する工程」）ようにすることは、当業者が容易に想到し得ることであり、また、画像情報を送信する際に圧縮すること（本願発明でいう「前記画像情報を圧縮する工程」、「圧縮された前記画像情報を遠隔地に送信する工程」）は、通信容量の節約のために普通に行われていることであり、当業者が必要に応じて適宜なし得ることである。
３．まとめ
　したがって、本願発明は、引用発明及び周知技術に基づいて当業者が容易に発明をすることができたものである。
第６　むすび
　以上のとおり、本願の請求項１１に係る発明は、特許法第２９条第２項の規定により特許を受けることができない。
　したがって、本願は、その他の請求項について検討するまでもなく、拒絶すべきものである。
　よって、結論のとおり審決する。